(57)【要約】  映像処理及び記憶機能とインターネット及びＴＶ機能とをスタンドアローン型に統合する、ＬＣＤモニタ統合型デジタル映像記憶装置が提供される。デジタル映像記憶装置は、既存のＬＣＤモニタの構成要素である、ＬＣＤパネル（１０）と、バックライト（１１）と、ＬＣＤドライバ（１２）と、に加え、映像を処理及び記憶するための、映像処理部（１３）と、メモリ（１４）と、ＨＤＤ（１５）とを含む。有線カメラ（１）の映像信号と、無線トランシーバ（２’）を介して入力される無線カメラの映像信号とは、映像前処理部（１６）によってデジタル信号に変換され、映像処理部（１３）に入力される。【選択図】図１
2007537618.tif 000002
【特許請求の範囲】
【請求項１】
ＬＣＤパネル１０と、バックライト１１と、ＬＣＤドライバー１２と、を含むＬＣＤモニタ統合型デジタル映像記憶装置において：
有線カメラ１の映像信号と無線トランシーバ２’を介して入力する無線カメラ２の映像信号とを映像前処理器１６によりデジタル信号に変換した後映像処理部１３に入力するように、互いに連動し単一の本体内に配置され、映像の処理及び記憶に必要な、映像処理部１３、メモリ１４及びＨＤＤ１５と；
処理手順を含む制御信号をプログラム化して管理するように設置されたマイクロコンピュータ１７と；
ＴＣＰ／ＩＰを通じてインターネットを使用できるよう前記映像処理部１３に接続されたインターネットインタフェース１８と；、
ＴＶ信号を受信できるよう前記マイクロコンピュータ１７と前記ＬＣＤドライバー１２との間に接続されたＴＶチューナ１９と；
を含み、
前記マイクロコンピュータ１７は、ＩＲリモートコントロール２０からの信号を受信することを特徴とする、ＬＣＤモニタ統合型デジタル映像記憶装置。
【請求項２】
前記ＨＤＤ１５は、前記装置から着脱可能であることを特徴とする、請求項１に記載のＬＣＤモニタ統合型デジタル映像記憶装置。
【発明の詳細な説明】
【技術分野】
【０００１】
本発明は、セキュリティ向けのデジタル映像記憶装置に関し、さらに詳しくは、既存のＬＣＤモニタに、映像処理及び記憶機能とインターネット及びＴＶ接続機能とを有するデジタル映像記憶装置を、スタンドアローン型に統合することにより、構成を単純にでき簡単に設置及び使用できセキュリティ向けに効果的に使用できるＬＣＤモニタ統合型デジタル映像記憶装置に関する。
【背景技術】
【０００２】
近年のセキュリティーへの関心が高まると共に、セキュリティーと映像処理に関連した製品への必要性と需要は、急速に増加している。ところが、既存のセキュリティ向けの映像出力装置においては、モニタと映像処理及び映像記憶装置とは、別々に組み立てられ、販売される。よって、セキュリティシステム向けの映像表示装置を使用するために、モニタと、映像処理及び映像記憶のための複数のユニットとは、個別に購入され、組み立てられる必要がある。これには、高額の費用が必要となり、映像出力装置の使用に制限がかかるため、効率的なものではなかった。さらに、インターネット接続などのためのモデムも個別の部材であるため、使用者がモデムを購入し、セキュリティシステムに接続することは、困難である。
【発明の開示】
【発明が解決しようとする課題】
【０００３】
そこで、本発明は、上記問題に鑑みてなされたものであり、本発明の目的とするところは、高解像度をもって半永久的に使用することができ、設置空間及び消費電力を減らすことが可能な、新規かつ改良されたＬＣＤモニタ統合型デジタル映像処理及び記憶装置を提供することにある。また、ＬＣＤモニタ統合型映像処理及び記憶装置は、有線または無線でカメラ信号を受信して処理できると共に、追加の装置を使用することなくインターネット接続ができるようにインターネットチップを回路の中に組み込むよう形成される。さらに、ＬＣＤモニタ統合型映像処理及び記憶装置は、簡単に設置および使用できる。
【課題を解決するための手段】
【０００４】
上記課題を解決するために、本発明のある観点によれば、ＬＣＤパネルと、ブラックライトと、ＬＣＤドライバと、を含むＬＣＤモニタ統合型映像処理及び記憶装置が提供される。また、映像を処理及び記憶するのに必要な、映像処理部とメモリーとＨＤＤとは、単一の本体内に設置され、有線カメラの映像信号と無線トランシーバを経由した無線カメラの映像信号とが映像前処理部を通じてデジタル信号に変換され映像処理部に入力されるように、互いに連動される。また、マイクロコンピュータは、作動手順を含んだ制御信号をプログラム化し管理するために、装置の中に設置される。また、インターネットインターフェイスは、ＴＣＰ／ＩＰを通じてインターネットを使用するために、映像処理部１３に接続される。また、ＴＶチューナーは、ＴＶ信号を受信するために、マイクロコンピュータとＬＣＤドライバとの間に接続され、マイクロコンピュータは、ＩＲリモートコントロールの信号を受信する。
【発明を実施するための最良の形態】
【０００５】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【０００６】
図１は、本発明の実施形態にかかるＬＣＤモニタ統合型デジタル映像記憶装置の構成を示す図面である。図１に示すように、本実施形態にかかるＬＣＤモニタ統合型デジタル映像記憶装置は、既存のＬＣＤモニタの構成要素として、ＬＣＤパネル１０と、バックライト１１と、ＬＣＤドライバ１２と、に加え、映像の処理及び記憶に必要な、映像処理部１３と、メモリ１４と、ＨＤＤ１５と、を含む。映像処理部１３とメモリ１４とＨＤＤ１５とは、互いに連動するよう、単一の本体内に設置される。また、有線カメラ１の映像信号と、無線トランシーバ２’を介して入力される無線カメラ２の映像信号とは、映像前処理部１６によってデジタル信号に変換された後、映像処理部１３に入力される。さらに、マイクロコンピュータ１７は、処理手順を含む制御信号をプログラム化し管理するよう、ＬＣＤモニタ統合型デジタル映像記憶装置内に設置される。マイクロコンピュータ１７は、制御信号及び信号を送受信する。
【０００７】
インターネットインターフェイス１８は、ＴＣＰ／ＩＰを通じてインターネットを使用するために、映像処理部１３に接続される。さらに、ＴＶチューナ１９は、ＴＶ信号を受信するために、マイクロコンピュータ１７とＬＣＤドライバ１２との間に接続される。リモートコントロール信号は、ＴＶチューナ１９がＩＲリモートコントロール２０からの信号を受信して動作可能なように、マイクロコンピュータ１７に入力される。ＩＲリモートコントロール２０は、ＴＶ／ＤＶＲ選択ボタンを含む。よって、ＴＶ信号は、ＴＶ／ＤＶＲ選択ボタンによってＴＶが選択されたとき、受信される。また、映像処理部１３からのカメラ映像は、ＴＶ／ＤＶＲ選択ボタンによってＤＶＲが選択されたとき、ＬＣＤドライバ１２に選択的に送信され、ディスプレイされる。
【０００８】
また、着脱可能なＨＤＤが、ＨＤＤ１５として使用され、必要に応じて容量や製品の機種を交換可能である。図１中の符号２１は、操作パネルを示す。
【０００９】
以下で、本実施形態にかかるＬＣＤモニタ統合型デジタル映像記憶装置の作動について説明する。
【００１０】
使用者の選択により、有線カメラ１で撮られた映像信号、または無線カメラ２で撮られた映像信号は、映像前処理部１６を介して映像処理部１３とメモリー１４とＨＤＤ１５と等に入力され処理・記憶される。ここで、映像処理部１３は、映像信号を圧縮し、ＨＤＤ１５の中に信号を記憶する。同時に、映像処理部１３は、リアルタイムで映像信号に対応した映像を表示するために、映像信号をＬＣＤパネル１０に供給する。図１中の第１パート及び第２パートの処理手順及び制御信号は、マイクロコンピュータ１７によってプログラム化され管理される。マイクロコンピュータ１７は、ＩＲリモートコントロール２０の制御信号も処理する。
【００１１】
ＴＶチューナ１９からの信号とマイクロコンピュータ１７からのＴＶ映像とは、ＩＲリモートコントロール２０によって選択的にＬＣＤドラバ１２に送信される。ＨＤＤ１５は、容量や製品の機種を容易に交換できるように、着脱可能である。
【００１２】
本実施形態は、有線カメラ１と無線カメラ２との両方に対応している。したがって、マイクロコンピュータ１７は、有線または無線入力信号に対応した映像の前処理と無線受信とを行う。
【００１３】
上述のように、本実施形態は、有線及び無線カメラ信号を受信し処理し記憶するように、既存のＬＣＤモニタに、映像処理及び記憶機能とＴＶ及びインターネット接続機能とを有するデジタル映像記憶装置を、スタンドアローン型に統合する。よって、本実施形態は、高画質な映像をＬＣＤモニタに供給することができ、全体として構成部品の数を減らすことができ、製造工程を単純にすることができ、費用に対する性能を大幅に改善することができる。
【００１４】
さらに、処理された映像信号は、信号効率を改善するために、ＬＣＤモニタに直接送信される。その結果、構成部品の数を減らすことができ、画質を向上させることができる。さらに、追加の装置を用いることなくインターネット接続するために、インターネットチップが、ＬＣＤモニタ統合型デジタル映像記憶装置の中に設置される。従って、リモートコントロールシステム及びリモートモニタシステムなどのインターネットを通じたリモートセキュリティーシステムを構築することができ、セキュリティーシステムの質を改善することができる。
【００１５】
以上、添付図面を参照しながら本発明の好適な実施形態について説明したが、本発明はかかる例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【図面の簡単な説明】
【００１６】
【図１】本発明の実施形態にかかるＬＣＤモニタ統合型デジタル映像記憶装置の構成を示す図面である。
【図１】
2007537618.tif 000003
【手続補正書】
【提出日】平成19年5月29日(2007.5.29)
【手続補正１】
【補正対象書類名】特許請求の範囲
【補正対象項目名】全文
【補正方法】変更
【補正の内容】
【特許請求の範囲】
【請求項１】
ＬＣＤパネル１０と、バックライト１１と、ＬＣＤドライバー１２と、を含むＬＣＤモニタ統合型デジタル映像記憶装置において：
有線カメラ１の映像信号又は無線トランシーバ２’を介して入力する無線カメラ２の映像信号を、映像前処理器１６によりデジタル信号に変換した後、映像処理部１３に入力するように、互いに連動し単一の本体内に配置され、映像の処理及び記憶に必要な、映像処理部１３、メモリ１４及びＨＤＤ１５と；
処理手順を含む制御信号をプログラム化して管理するように設置されたマイクロコンピュータ１７と；
ＴＣＰ／ＩＰを通じてインターネットを使用できるよう前記映像処理部１３に接続されたインターネットインタフェース１８と；
を含み、
前記マイクロコンピュータ１７は、ＩＲリモートコントロール２０からの信号を受信することを特徴とする、ＬＣＤモニタ統合型デジタル映像記憶装置。
【請求項２】
前記ＨＤＤ１５は、前記装置から着脱可能であることを特徴とする、請求項１に記載のＬＣＤモニタ統合型デジタル映像記憶装置。
【手続補正２】
【補正対象書類名】明細書
【補正対象項目名】０００４
【補正方法】変更
【補正の内容】
【０００４】
上記課題を解決するために、本発明のある観点によれば、ＬＣＤパネルと、ブラックライトと、ＬＣＤドライバと、を含むＬＣＤモニタ統合型映像処理及び記憶装置が提供される。また、映像を処理及び記憶するのに必要な、映像処理部とメモリーとＨＤＤとは、単一の本体内に設置され、有線カメラの映像信号又は無線トランシーバを経由した無線カメラの映像信号が、映像前処理部を通じてデジタル信号に変換され映像処理部に入力されるように、互いに連動される。また、マイクロコンピュータは、作動手順を含んだ制御信号をプログラム化し管理するために、装置の中に設置される。また、インターネットインターフェイスは、ＴＣＰ／ＩＰを通じてインターネットを使用するために、映像処理部１３に接続される。マイクロコンピュータは、ＩＲリモートコントロールの信号を受信する。
【国際調査報告】
2007537618.tif 000004
2007537618.tif 000005